(57)【要約】【課題】光学ズーム機能及び電子ズーム機能のうち少なくとも一方を有する電子カメラにおいて、ズーム拡大して得られた画像がズーム無しの全体画像に対してどの程度の範囲であるかを一目で確認できる電子カメラを提供する。【解決手段】ＣＣＤを介して取得された映像は画像表示裝置の画面に表示される。ユーザがズームスイッチからズーム操作を行うと、その操作指示に従って光学ズーム手段及び／又は電子ズーム手段が作動して画像表示装置の画面枠４４全体に拡大画像が表示される。このとき、最大画角撮影時の画像（すなわち、ズーム無しの画像）の表示範囲に対して、現在表示中の拡大画像がどの領域範囲を切り出して拡大しているかを示す拡大範囲情報４６が拡大画像に重ね表示される。拡大範囲情報４６の表示形態としては、枠線を表示してもよいし、当該領域の画像信号に一律信号加算を行い表示濃度（明るさ）を変えるなどの態様もある。【選択図】　　図２
2004072206.tif 000002
【特許請求の範囲】
【請求項１】
被写体の光学像を電子信号に変換する撮像手段と、
前記撮像手段を介して撮像された画像を表示する画像表示手段と、
被写体の像倍率を光学的に変化させる光学ズーム手段及び前記撮像手段を介して取得された画像信号を電子的に処理することにより被写体の像倍率を変更する電子ズーム手段のうち少なくとも一方のズーム手段と、
像倍率を変更する指示を与えるズーム操作手段と、
前記ズーム操作手段の操作に応じて前記ズーム手段によって拡大された画像を前記画像表示手段の画面上に表示させるとともに、現在表示している拡大画像が最大画角の全体画像に対してどの領域範囲を拡大しているかを示す拡大範囲情報を前記拡大画像に重ねて表示させる表示制御手段と、
を備えたことを特徴とする電子カメラ。
【請求項２】
前記光学ズーム手段と前記電子ズーム手段とを併有し、
前記光学ズーム手段によるズーム領域の拡大範囲情報と、前記電子ズーム手段によるズーム領域の拡大範囲情報とがそれぞれ異なる表示形態によって表示されることを特徴とする請求項１記載の電子カメラ。
【発明の詳細な説明】
【０００１】
【発明の属する技術分野】
本発明は電子カメラに係り、特に光学ズームや電子ズームなどの画像拡大機能を具備した電子カメラに関する。
【０００２】
【従来の技術】
一般的なデジタルカメラは、カメラ本体の液晶モニタ（ＬＣＤ）に撮像中の画像を表示して画角の確認を行うことができる。このとき、ズーム操作を行うと、その指定倍率に応じて拡大された画像がＬＣＤ画面全体に表示される。したがって、ＬＣＤに表示されている画像（拡大画像）が元画の全体（すなわち、ズーム無しの画像、例えば、ワイド端の画像）に対してどの程度の範囲を拡大しているのかを同時に確認することはできない。
【０００３】
特開平１−５７２４８号公報では、光学ズームレンズの現在の撮影倍率及び最高倍率に関する情報を被写体とともに電子ファインダに表示する方法が提案されている。
【０００４】
【発明が解決しようとする課題】
しかしながら、上記公報においては、ズームミングによって拡大表示されている現在の画像が最大画枠（例えば、ワイド端画像）の表示範囲に対して、どの部分を切り出しているのかを把握できるようにする手段については記載されていない。
【０００５】
本発明はこのような事情に鑑みてなされたもので、カメラにおいて光学ズーム及び電子ズームの少なくとも一方を使用する際に、現在拡大している範囲が元画の全体画像に対してどのあたりかを一目で確認できる電子カメラを提供することを目的とする。
【０００６】
【課題を解決するための手段】
前記目的を達成するために本発明に係る電子カメラは、被写体の光学像を電子信号に変換する撮像手段と、前記撮像手段を介して撮像された画像を表示する画像表示手段と、被写体の像倍率を光学的に変化させる光学ズーム手段及び前記撮像手段を介して取得された画像信号を電子的に処理することにより被写体の像倍率を変更する電子ズーム手段のうち少なくとも一方のズーム手段と、像倍率を変更する指示を与えるズーム操作手段と、前記ズーム操作手段の操作に応じて前記ズーム手段によって拡大された画像を前記画像表示手段の画面上に表示させるとともに、現在表示している拡大画像が最大画角の全体画像に対してどの領域範囲を拡大しているかを示す拡大範囲情報を前記拡大画像に重ねて表示させる表示制御手段と、を備えたことを特徴とする。
【０００７】
本発明の電子カメラは、光学ズーム機能及び電子ズーム機能のうち少なくとも一方のズーム機能を有し、撮像手段を介して取得された映像は画像表示手段の画面に表示される。撮影者（ユーザ）がズーム操作手段を操作してズーム操作（変倍操作）を行うと、その操作指示に従って光学ズーム手段及び／又は電子ズーム手段が作動してズーミング処理が行われ、画像表示手段の画面上において撮像に係る映像の拡大画像が表示される。このとき、最大画角撮影時の画像（すなわち、ズーム無しの画像）の表示範囲に対して、現在表示中の拡大画像がどの領域範囲を切り出して拡大しているかを示す拡大範囲情報が拡大画像に重ね表示される。
【０００８】
拡大範囲情報の表示形態としては、拡大切出し範囲を示す枠線を表示してもよいし、当該領域の画像信号に一律信号加算を行い表示濃度（明るさ）を変えるなどの態様もある。このように、拡大範囲情報の重畳表示機能によって、単一の画面内において拡大画像の表示と、これに対応する拡大範囲情報の表示とを同時に行うようにしたので、ユーザはズーム機能を使用する際に、現在拡大している範囲が最大画角画像（元画の全体画像）に対してどのあたりかを一目で確認できるため、撮影構図の設定をより効率的に行うことができる。
【０００９】
本発明の一態様に係る電子カメラは、前記光学ズーム手段と前記電子ズーム手段とを併有し、前記光学ズーム手段によるズーム領域の拡大範囲情報と、前記電子ズーム手段によるズーム領域の拡大範囲情報とがそれぞれ異なる表示形態によって表示されることを特徴とする。
【００１０】
かかる態様によれば、現在画像表示手段に表示されている画像が光学ズーム領域のズーム画像であるか、電子ズーム領域によるズーム画像であるかを容易に識別することができる。
【００１１】
【発明の実施の形態】
以下添付図面に従って本発明に係る電子カメラの好ましい実施の形態について詳説する。
【００１２】
図１は本発明の実施形態に係る電子カメラの構成を示すブロック図である。このカメラ１０は、被写体の光学像をデジタル画像データに変換して記録メディア１２に記録するデジタルカメラであり、撮影光学系としての撮影レンズ１４及びＣＣＤ固体撮像素子（以下、ＣＣＤという。）１６を備えている。なお、ＣＣＤ１６に代えて、ＭＯＳ型固体撮像素子など他の方式の撮像素子を用いることも可能である。
【００１３】
撮影レンズ１４は電動式のズームレンズで構成されている。撮影者によってズームスイッチ１８が操作されると、そのスイッチ操作に応じてシステム制御回路２０からレンズ駆動回路２２に対して制御信号が出力される。レンズ駆動回路２２は、システム制御回路２０からの制御信号に基づいてレンズ駆動用の信号を生成し、ズームモータ２４に与える。こうして、レンズ駆動回路２２から出力されるモータ駆動電圧によってズームモータ２４が作動し、撮影レンズ１４が光軸に沿って前後移動することにより、撮影レンズ１４の焦点距離（光学ズーム倍率）が変更される。
【００１４】
撮影レンズ１４のズーム位置及びフォーカス位置は、レンズ位置センサ２６によって検出される。レンズ位置センサ２６はズーム位置センサとフォーカス位置センサとを含むブロックである。レンズ位置センサ２６は、ズームモータ２４等の回転によりパルスを発生する回路であってもよいし、レンズ鏡胴の外周に位置検出エンコード板を配置した構成などであってもよく、本発明の実施に際して特に限定されるものではない。
【００１５】
レンズ位置センサ２６によって取得されるズーム位置及びフォーカス位置の情報はシステム制御回路２０に入力される。システム制御回路２０は、レンズ位置センサ２６の検出信号に基づいてレンズ駆動を制御する。
【００１６】
本例のカメラ１０は、上述の光学ズーム機能に加えて、電子ズーム機能を有している。電子ズーム機能は、画像処理技術によって画像信号を電子的に処理することにより拡大画像を得る機能である。すなわち、このカメラ１０は、光学ズーム領域のテレ端（以下、光学テレ端という。）よりも更に拡大側に電子ズーム領域が付加されており、全体として光学ズームのワイド端（以下、光学ワイド端という。）から電子ズームのテレ端（以下、電子テレ端という。）までのズーム範囲を有している。
【００１７】
ズームスイッチ１８は、撮影レンズ１４の焦点距離の調節と電子ズーム（デジタルズーム）機能による拡大／縮小の指示に兼用される操作部である。光学ズーム領域において、ズームスイッチ１８がテレ方向に操作されると、レンズ駆動回路２２及びズームモータ２４を介して撮影レンズ１４の焦点距離がテレ方向に駆動される。ズームスイッチ１８を押し続け、撮影倍率を上げる指令を入力し続けると、やがて光学ズーム領域のテレ端（光学テレ端）に達する。この光学テレ端から更にテレ方向（拡大方向）のズーム指示を与えると、電子ズームによる拡大処理に移行する。
【００１８】
本例のカメラ１０においては、選択される記録画素数モードに応じて、画質劣化が生じない範囲で電子ズームによる倍率変更が可能となっている。例えば、記録画素数（撮影解像度）を「２４００×１８００」、「１６００×１２００」、「１２８０×　９６０」、又は「６４０　×４８０　」に選択できるものとすると、選択される解像度に応じて、画質劣化が生じない範囲で電子ズームによる倍率可変範囲が制限される。記録画素数を「２４００×１８００」に設定したときは、フル画素を使用するため、電子ズームで拡大処理を行うと画質劣化が生じる。したがって、「２４００×１８００」時には電子ズームの使用が禁止され、光学ズーム領域のみのズーム機能を利用できる。記録画素数が「１６００×１２００」、「１２８０×　９６０」、又は「６４０　×４８０　」の時は、電子ズーム機能を使用できるようになる。低画素数の場合ほど電子ズームの倍率可変範囲が大きくなる。
【００１９】
また、カメラ１０は光学ファインダ２８を備えている。この光学ファインダ２８はズームファインダで構成されている。光学ファインダ２８は図示せぬ機械的な動力伝達機構を介して撮影レンズ１４の駆動系と連結されており、ズーム操作に伴うズームモータ２４の動力によって撮影レンズ１４の倍率変更動作と連動して、撮影画角とほぼ同等のファインダ視野が得られるようにファインダ倍率が変更される構成になっている。
【００２０】
光学ズーム領域においては光学ファインダ２８の倍率もこれに追従して変更されるが、電子ズーム領域に移行した後は光学ファインダ２８の倍率が追従せず、ファインダ光学系のテレ端画角で停止している。電子ズーム領域で変倍操作を行っているときに、電子ズーム領域のワイド端（電子ズームの最小倍率）から更にワイド方向のズーム指示を与えると、光学ズームによるワイド方向のズーム動作に移行する。光学ズーム領域に復帰したら光学ファインダ２８もこれに追従してファインダ倍率が変更される。
【００２１】
カメラ１０の撮影機能について説明すると、撮影レンズ１４を通過した光は、ＣＣＤ１６の受光面に結像される。ＣＣＤ１６の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ１６は、各フォトダイオードの電荷蓄積時間（シャッタースピード）を制御する電子シャッター機能を有している。
【００２２】
ＣＣＤ１６の受光面に結像された被写体像は、各フォトダイオードによって入射光量に応じた量の信号電荷に変換される。各フォトダイオードに蓄積された信号電荷は、図示せぬＣＣＤ駆動回路から与えられる駆動パルスに基づいて信号電荷に応じた電圧信号（画像信号）として順次読み出される。
【００２３】
ＣＣＤ１６から出力された信号はカメラ信号処理回路３０に入力される。カメラ信号処理回路３０は、相関二重サンプリング（ＣＤＳ）回路、ゲインコントロール（ＧＣ）回路及びＡ／Ｄ変換器等を含む。カメラ信号処理回路３０においてサンプリング処理、色分離、ホワイトバランス調整などの所要の処理が施された画像信号はＡ／Ｄ変換器によってデジタル信号に変換された後、システム制御回路２０に入力される。
【００２４】
システム制御回路２０は、中央演算処理装置（ＣＰＵ）及びＣＰＵ周辺回路（ＲＯＭ、ＲＡＭ、メモリコントローラなど）を含み、カメラ１０の制御手段として機能するとともに、ＡＥ演算・ＡＦ演算その他の各種演算を行う演算手段として機能する。また、システム制御回路２０は、デジタル画像信号を処理する画像処理回路（信号処理手段）を備えるとともに、表示出力用の画像に対して後述する拡大切出し範囲の情報を付加する表示混合（ＭＩＸ）回路３２を備えている。
【００２５】
システム制御回路２０内の画像処理回路は、輝度・色差信号生成回路、ガンマ補正回路、輪郭強調回路、ホワイトバランス補正回路、電子ズーム処理（拡大／縮小処理）回路等を含む。カメラ信号処理回路３０よりシステム制御回路２０に入力された画像信号は、輝度信号（Ｙ信号）及び色差信号（Ｃｒ，Ｃｂ　信号）に変換されるとともに、ガンマ補正等の所定の処理が施された後、ＲＡＭに記憶される。
【００２６】
撮影画像をモニタ出力する場合、ＲＡＭから画像データが読み出され、表示信号処理回路３４へ送られる。表示信号処理回路３４は、入力された画像データを表示用の所定方式の信号（例えば、ＮＴＳＣ方式のカラー複合映像信号）に変換して液晶モニタ等の画像表示装置３６に出力する。なお、画像表示装置３６は、液晶モニタに限定されず、有機ＥＬなど他の方式の表示手段を用いてもよい。
【００２７】
ＣＣＤ１６から出力される画像信号によってＲＡＭ内の画像データが定期的に書き換えられ、その画像データから生成される映像信号が画像表示装置３６に供給されることにより、撮像中の映像がリアルタイムに表示される。撮影者は画像表示装置３６に表示される映像（いわゆるスルームービー）によって画角（構図）を確認できる。
【００２８】
スルームービー表示中にユーザがズームスイッチ１８を操作すると、変倍処理が行われる。光学ズーム領域を超えて、更に拡大方向の指令が入力されると、システム制御回路２０内の電子ズーム処理回路において、画像信号の拡大処理が行われる。
【００２９】
システム制御回路２０は、ズームスイッチ１８やレリーズスイッチ３８などの操作部から入力する信号に基づいてカメラ１０内の各回路を制御し、例えば、カメラ動作に必要なレンズ駆動制御、撮影動作制御、画像処理制御、記録メディア１２の読み書き制御、画像表示装置３６の表示制御などを行う。
【００３０】
レリーズスイッチ３８が押下操作されると、撮影開始指示（レリーズＯＮ）信号が発せられる。システム制御回路２０はレリーズＯＮ信号を検知して、撮影動作を実行する。すなわち、システム制御回路２０は、レリーズ信号の入力に応動してＡＥ演算及びＡＦ演算を行うとともに、記録用の画像を取り込むためのＣＣＤ露光及び読み出し制御を実施する。
【００３１】
レリーズ信号の入力に応動して取り込まれた画像データは、システム制御回路２０の画像処理回路に送られ、画像処理回路において輝度・色差信号変換（ＹＣ変換）処理その他の所定の信号処理を経た後、記録／再生処理回路４０に送られる。
【００３２】
記録／再生処理回路４０は、データの圧縮及び伸長を行う信号処理部とメディアインターフェース部を含む。システム制御回路２０から記録／再生処理回路４０に入力された記録用の画像データは、記録／再生処理回路４０において所定の圧縮フォーマット（例えば、ＪＰＥＧ方式）　に従って圧縮され、記録メディア１２に記録される。記録形式はＪＰＥＧ方式に限定されず、ＭＰＥＧその他の記録方式を採用してもよい。画像データを保存するための手段は、メモリカードで代表される半導体メモリに限定されず、磁気ディスク、光ディスク、光磁気ディスクなど、種々のメディアを用いることができる。また、リムーバブルメディアに代えて、又はこれと併用して、カメラ１０に内蔵された記録メディア（内部メモリ）に画像データを保存する態様も可能である。
【００３３】
図示せぬモード選択操作手段（モードダイヤルなど）によって再生モードが選択されると、記録メディア１２から画像ファイルが読み出され、記録／再生処理回路４０によって伸長処理された後、表示信号処理回路３４を介して画像表示装置３６に出力される。こうして、記録済み画像の再生表示が行われる。画像の再生表示中に操作部の十字キー（例えば、右キー又は左キー）を操作することによって、再生対象のファイルを切り換えること（順コマ送り／逆コマ送り）ができる。
【００３４】
次に、上記の如く構成されたカメラ１０のズーム動作及びズーム拡大範囲の表示機能について説明する。
【００３５】
図２は、画像表示装置３６の表示例を示す図である。画像表示装置３６の画面枠４４は、ズーム無し（光学ズーム１倍、つまり光学ワイド端）の時の画面表示範囲を示す。スルームービー表示中にズーム操作を行うと、指令倍率に応じて画像が拡大され、画面枠４４一杯に拡大画像が表示されるとともに、図２の符号４６で示したように、拡大切出し範囲を示す領域情報（以下、拡大範囲情報という。）が重ね表示（同時表示）される。この拡大範囲情報４６は、ズームされた画像がズーム無し時の元画に対して、どの部分を切り出して拡大されたものであるかを明示するものである。拡大範囲情報４６の表示形態は、単純な枠線でもよいし、領域枠の四隅（コーナ）のみを示すブラケット表示等でもよく、また、対象領域を他の領域と識別できるように強調表示（特殊表示）した枠面であってもよい。
【００３６】
具体的な表示例としては、例えば、画像表示内に拡大切出し範囲が分かるように枠線を重ねて表示する。または、その領域内の画像信号に一律信号加算を行い、領域内を他の領域よりも明るく表示するなどの態様がある。なお、拡大範囲情報４６を表示する場合には、表示中の画像確認にあまり影響を与えないレベルで表示することが望ましい。
【００３７】
拡大範囲情報４６を表示するために必要なエリア情報の信号（加算すべき信号や枠線の信号など）は、システム制御回路２０内の信号生成部（不図示）において生成される。信号加算や枠線の重畳処理は図１で説明した表示ＭＩＸ回路３２において実施される。図１では、システム制御回路２０内の表示ＭＩＸ回路３２によって、撮影に係る画像信号とエリア情報の信号を混合してから表示信号処理回路３４に出力しているが、本発明の実施に際しては、表示信号処理回路３４内に表示ＭＩＸ回路を設ける態様も可能である。この場合、システム制御回路２０から表示信号処理回路３４に対して撮影に係る画像信号とエリア情報の信号とを別々に与え、表示信号処理回路３４においてこれら両信号を加算するようにしてもよい。
【００３８】
こうして、画像表示装置３６にはズームされた画像が画面の全体に表示されるとともに、光学ワイド端の画面（最大画枠）に対する拡大切出し範囲を示す拡大範囲情報４６が表示される。ユーザは拡大で表示されている画像が最大画枠に対してどの程度の範囲であるかかを一目で理解できるため、画枠設定（構図設定）をより効率的に行うことができる。
【００３９】
図２では、光学ズーム領域を例示したが、光学ズーム領域のみならず、電子ズーム領域においても同様に適用する。
【００４０】
また、図３に示すように、光学ズーム領域時の切出し範囲の表示（符号４７）と、電子ズーム領域時の切出し範囲の表示（符号４８）とで表示形態を異なる形態とし、それぞれを識別できるようにする態様が好ましい。例えば、図３のように、光学ズーム領域の切出し範囲の表示４７と、電子ズーム領域時の切出し範囲の表示４８とで表示の濃さ（濃度）を変える態様がある。また、色を変える態様、枠線の線種を変える態様（一方の枠線を実線で表示し、他方を点線で表示するなど）がある。
【００４１】
このように、光学ズーム領域時と電子ズーム領域時とで切出し表示の表示形態を変えることにより、現在の表示画像が光学ズーム領域の拡大画像であるか電子ズーム領域の拡大画像であるかを一目で判断することができる。
【００４２】
上記実施の形態では、光学ズームと電子ズームを併用するカメラを例示したが、本発明の適用範囲はこれに限定されず、光学ズームのみ利用できるカメラ（電子ズーム機能を有していないカメラ）、或いは電子ズームのみ利用できるカメラ（光学ズーム機能を有していないカメラ）についても本発明を適用することができる。
【００４３】
また、拡大範囲は画面のセンタ中心（光軸中心）に限定されず、画面内の任意の位置に移動させることも可能である。
【００４４】
次に、本発明の他の実施形態について説明する。
【００４５】
図４は本発明の他の実施形態に係る電子カメラの構成を示すブロック図である。図４中図１と共通する部分には同一の符号を付し、その説明は省略する。
【００４６】
図４に示したカメラ５０は、撮影レンズ５４として単焦点レンズが用いられており、電子ズーム機能のみによって変倍操作を行うことができる。また、カメラ５０の操作部には、拡大切出し範囲を画面内で移動させる指令を行う移動キー５６と、その移動方向を指令する十字キー５８が設けられている。なお、十字キー５８の上／下キーをズームキーとして兼用する態様も可能である。
【００４７】
本例では移動キー５６を押して切出し範囲の移動モードに切り換えてから十字キー５８を押すことによって拡大切出し範囲を移動できる。その後、移動キー５６を再度押下すると、移動モードが解除されるようになっている。なお、移動キー５６を押しながら、十字キー５８を押す（移動キー５６との同時押下）によって拡大切出し範囲を移動操作する態様でもよい。
【００４８】
図５に示したように、電子ズーム機能による拡大切出し範囲は、画面内において上下左右の任意の位置に移動させることができる。指定した位置に応じて拡大範囲情報４６の表示が移動し、全体の拡大範囲とその位置関係が分かるようになっている。
【００４９】
上述した拡大範囲情報４６は撮影時のみならず、再生時においても表示される。拡大された画像とともに拡大範囲情報４６を重ね表示したことにより、電子ズームの範囲が分かるため、拡大範囲の周辺の領域があとどれだけあるか一目で判断でき、再生時にトリミングを行ったりする際に全体のバランスを予測しやすい。
【００５０】
上述した本発明の実施形態によれば、三脚などにカメラ１０，５０を固定して撮影する場合においては、電子ズーム機能によって撮影倍率の変更を行い、カメラ１０，５０を動かすことなく拡大範囲を移動することで、全体画像に対する撮影対象位置を把握できる。
【００５１】
また、拡大範囲情報４６を表示する機能と併せて、記録メディア１２に記録した画像信号の一部範囲を切り出して、当該切り出し部分の画像を新たに記録メディア１２に記録する機能（トリミング保存機能）をカメラ１０に搭載する態様も好ましい。
【００５２】
更にまた、撮影直後に当該撮影画像を記録メディア１２に記録する前に撮影画像を画像表示装置３６に表示（プレビュー表示）して記録の可否を選択させ、指示入力手段から入力される記録実行の指示に応じて撮影画像を記録メディア１２に記録する処理を行うプレビュー機能を有し、このプレビュー表示中にトリミングを行うことができる態様も好ましい。
【００５３】
上記実施の形態では、デジタルカメラを例に説明したが、本発明の適用範囲はこれに限定されず、ビデオカメラ、カメラ付き携帯電話、カメラ付きパソコンなど、撮像素子を用いて被写体像を電気信号に変換して撮像する電子カメラ及びこれを搭載した装置等に広く適用できる。
【００５４】
【発明の効果】
以上説明したように本発明によれば、ズーム機能と画像表示手段を具備した電子カメラにおいて、画像表示手段の画面全体にズーム拡大画像を表示すると同時に、現在表示中の拡大画像がズーム無しの画像に対してどの範囲を切り出して拡大しているかを示す拡大範囲情報を重ね表示するようにしたので、ユーザは現在拡大している範囲が最大画角の全体画像に対してどのあたりかを一目で確認でき、撮影構図の設定をより効率的に行うことができる。
【００５５】
また、本発明の一態様によれば、光学ズーム手段と電子ズーム手段とを併有する電子カメラにおいて、光学ズーム領域の拡大範囲情報と、電子ズーム領域の拡大範囲情報とをそれぞれ異なる表示形態によって表示するようにしたので、ユーザは現在の画像が光学ズーム領域の拡大画像であるか、電子ズーム領域による拡大画像であるかを容易に判断することができる。
【図面の簡単な説明】
【図１】本発明の実施形態に係る電子カメラの構成を示すブロック図
【図２】画像表示装置における拡大範囲情報の表示例を示す図
【図３】光学ズーム領域と電子ズーム領域とで拡大範囲情報の表示形態を変更する例を示した図
【図４】本発明の他の実施形態に係る電子カメラの構成を示すブロック図
【図５】拡大切出し範囲を光軸中心以外にも移動できる例を示した図
【符号の説明】
１０，５０…カメラ、１２…記録メディア、１４…撮影レンズ、１６…ＣＣＤ、１８…ズームスイッチ、２０…システム制御回路、２４…ズームモータ、２８…光学ファインダ、３２…表示ＭＩＸ回路、３６…画像表示装置
【図１】
2004072206.tif 000003
【図２】
2004072206.tif 000004
【図３】
2004072206.tif 000005
【図４】
2004072206.tif 000006
【図５】
2004072206.tif 000007